(57)【特許請求の範囲】
【請求項１】
直交符号で変調されると共に複数チャネルを符号多重した伝搬信号を、異なる伝搬路を介して受信して、伝搬路推定を含む処理を施す伝搬路推定処理手段を複数備え、各伝搬路推定処理手段の出力に、マルチパス合成を施して復調する復調装置において、
前記各伝搬路推定処理手段は、
前記直交符号と伝搬信号を用いた相関演算を実行し、演算結果として得られる隣接するシンボルを加算する第１の相関器と、前記直交符号と伝搬信号を用いた相関演算を実行し、演算結果として得られる隣接するシンボルの一方から他方を減算する第２の相関器と、を有する情報用相関演算部と、
前記伝搬路推定のために、前記情報用相関演算部よりも長い区間について、前記直交符号と伝搬信号を用いた相関演算を実行して伝搬路推定用相関値を得る伝搬路推定用相関演算部と、
前記伝搬路推定用相関値の移動平均を取ることで、伝搬路推定を実行して伝搬路推定値を得る伝搬路推定手段と、
前記伝搬路推定値を前記第１の相関器と出力に掛け合わせて積を得る第１の乗算手段と、
前記伝搬路推定値を前記第２の相関器と出力に掛け合わせて積を得る第２の乗算手段と、を有し、
前記複数の伝搬路推定処理手段の前記第１の乗算手段からの出力を合成し、かつ、前記複数の伝搬路推定処理手段の前記第２の乗算手段からの出力を合成することで前記マルチパス合成を実行する合成手段と、
前記合成手段の合成結果を得た後、前記複数チャネルを分離する分離手段と、
を有することを特徴とする復調装置。
【請求項２】
請求項１の復調装置において、
前記分離手段は、前記複数チャネルの分離を実行するため、送信側で符号多重した元の符号により、当該合成結果を反転または非反転して加算するチャネル分離手段を備えることを特徴とする復調装置。
【請求項３】
請求項２の復調装置において、
前記情報用相関演算部が行う相関演算は、前記チャネル分離部が行う加算を各チャネルのデータレートに応じて実行するための最小シンボル単位で実行することを特徴とする復調装置。
【発明の詳細な説明】
【０００１】
【発明の属する技術分野】
本発明は復調装置に関し、例えば、ＩＳ−２０００に準拠する規格の上りリンクにおけるｐｉｌｏｔ（パイロット）、ｓｕｐｌｅｍｅｎｔａｌ（サプリメンタル）、ｆｕｎｄａｍｅｎｔａｌ（ファンダメンタル）の３つのチャネルが符号多重された信号から、これらの各チャネルを復調（抽出）するＣＤＭＡ（符号分割多元接続）方式の復調装置などに適用し得るものである。
【０００２】
【従来の技術】
現ＩＳ−２０００に準拠する規格に対応した送信機が内蔵する符号多重部１０の構成例を、図２に示す。ＩＳ−２０００規格は、ＣＤＭＡ受信機やＣＤＭＡ方式を用いた携帯電話システムなどに適用し得るもので、上りリンクにおいてｐｉｌｏｔ、ｓｕｐｌｅｍｅｎｔａｌ、ｆｕｎｄａｍｅｎｔａｌの３つのチャネルがある。
【０００３】
図２において、この符号多重部１０は、ｐｉｌｏｔ、ｓｕｐｌｅｍｅｎｔａｌ、ｆｕｎｄａｍｅｎｔａｌチャネル情報に対し、ｗａｌｓｈ符号を掛ける乗算器Ａ１、Ａ２と、ゲイン調整回路Ａ３、Ａ４と、ｗａｌｓｈ符号により拡散されたｓｕｐｌｅｍｅｎｔａｌ信号と別のｗａｌｓｈ符号により拡散されたｆｕｎｄａｍｅｎｔａｌ信号を多重する加算器Ａ５と、ｌｏｎｇｃｏｄｅ（長周期符号）と同相、逆相のＰＮ（擬似雑音）符号ＰＮｉ、ＰＮｑを掛けるための乗算器Ａ６、Ａ７と、ｐｉｌｏｔおよび加算器Ａ５の出力に異なる組み合わせで当該乗算器Ａ６、Ａ７の出力を掛けるための４つの乗算器Ａ８、Ａ９、Ａ１０、Ａ１１と、乗算器Ａ８とＡ１０の出力を加算する加算器Ａ１２と、乗算器Ａ９とＡ１１の出力を加算する加算器Ａ１３と、加算器Ａ１２、Ａ１３の出力信号をフィルタを通しゲイン調整後、９０°位相を変化させる回路Ａ１４、Ａ１５と、回路Ａ１４，Ａ１５から出力される同相成分、直交成分を加算する加算器Ａ１６とを備えている。
【０００４】
この符号多重部１０は、３つのチャネルｐｉｌｏｔ、ｓｕｐｌｅｍｅｎｔａｌ、ｆｕｎｄａｍｅｎｔａｌを符号多重した信号ＴＳを送信することができる。ただしこのうちｐｉｌｏｔチャネルは、もっぱら伝搬路推定用に用いるものであり、乗算器Ａ１、Ａ２で行われたようなＷａｌｓｈ符号の乗算も施されていないので、情報チャネルとして使用されるｓｕｐｌｅｍｅｎｔａｌチャネルおよびｆｕｎｄａｍｅｎｔａｌチャネルとは復号側での取り扱いも異なる。
【０００５】
一方、この符号多重部１０を搭載した送信機に対向する受信機は、符号多重された当該信号ＴＳを受信して、前記３つのチャネルを処理し、少なくとも２つの情報チャネルを取り出して復調するために図３に示すような復調処理回路１１を備えている。
【０００６】
図３において、この復調処理回路１１は、信号ＴＳが伝搬された各パスに対応する複数のパス復調ユニット（すなわち複数のフィンガ）Ｂ１〜Ｂ３を備えている。
【０００７】
各パス復調ユニットＢ１〜Ｂ３のそれぞれは、３つの情報チャネル（１、２、Ｎ）を分離抽出できるように、３つのチャネル復調回路（チャネル抽出回路）を内蔵している。
【０００８】
ここでは、一例として、チャネル１は前記ｓｕｐｌｅｍｅｎｔａｌに対応し、チャネル２は前記ｆｕｎｄａｍｅｎｔａｌに対応するものとする。したがってこの場合は、Ｎ＝２である。
【０００９】
パス１に対応したパス復調ユニットＢ１のなかで、チャネル１を分離、抽出するのがチャネル復調回路Ｂ４であり、チャネル２を分離、抽出するのがチャネル復調回路Ｂ５であり、チャネルＮを分離、抽出するのがチャネル復調回路Ｂ６である。
【００１０】
同様に、パス２に対応したパス復調ユニットＢ２のなかで、チャネル１を分離、抽出するのがチャネル復調回路Ｂ７であり、チャネル２を分離、抽出するのがチャネル復調回路Ｂ８であり、チャネルＮを分離、抽出するのがチャネル復調回路Ｂ９であり、パスＮに対応したパス復調ユニットＢ３のなかで、チャネル１を分離、抽出するのがチャネル復調回路Ｂ１０であり、チャネル２を分離、抽出するのがチャネル復調回路Ｂ１１であり、チャネルＮを分離、抽出するのがチャネル復調回路Ｂ１２である。
【００１１】
これらのチャネル復調回路Ｂ４〜Ｂ１２のそれぞれは、図４に示すような回路構成を備えている。
【００１２】
チャネル復調回路Ｂ４〜Ｂ１２の回路構成は同じであるので、図４にはパス復調ユニットＢ１中のチャネル復調回路Ｂ４を示したものとして説明を進める。
【００１３】
図４において、相関器１０２は、入力端１０１に入力された符号多重された信号ＴＳに直交符号（例えば前記符号多重部１０で使用したＰＮｉとｌｏｎｇｃｏｄｅを乗算して得られる符号）を用いた相関演算を施して相関ピークの高いデータを抽出する。
【００１４】
次に、乗算器１０５が、そのデータに送信側で多重したときと同じＷａｌｓｈ符号＋−＋−…を掛け合わせることで、チャネル１のｓｕｐｌｅｍｅｎｔａｌを抽出（分離）する。
【００１５】
一方、相関器１０３では、入力端１０１に入力された当該信号ＴＳに、前記直交符号を用いて前記相関器１０２よりも長い相関区間について相関演算を施すことで、相関データを得る。
【００１６】
この相関データを受け取った伝搬路推定器２０４は、この相関データをもとにＮｓｙｍｂｏｌ長（Ｎシンボル長）の移動平均を取ることで、前記乗算器１０５から出力されるチャネル１の位相補正を行うための伝搬路推定値を得る。
【００１７】
この伝搬路推定値で、乗算器１０５がｗａｌｓｈ符号の掛け合わせにより抽出した信号（チャネル１）に重み付けを実施して重み付け済み抽出信号ＷＳを得る。
【００１８】
この信号ＷＳは、図３のマルチパス合成部Ｂ１３内のチャネル１用の合成ユニットＢ１４に供給される。
【００１９】
以上のような動作は、チャネル復調回路Ｂ４以外のチャネル復調回路Ｂ５〜Ｂ１２でも行われ、各チャネル復調回路Ｂ５〜Ｂ１２からも、対応する重み付け済み抽出信号が出力される。
【００２０】
したがってマルチパス合成部Ｂ１３内において、前記合成ユニットＢ１４には、前記チャネル復調回路Ｂ４のほか、チャネル復調回路Ｂ７とＢ１０から重み付け済み抽出信号が供給される。
【００２１】
同様に、チャネル２用の合成ユニットＢ１５には、チャネル復調回路Ｂ５、Ｂ８、Ｂ１１から重み付け済み抽出信号が供給され、チャネルＮ用の合成ユニットＢ１６には、チャネル復調回路Ｂ６、Ｂ９、Ｂ１２から重み付け済み抽出信号が供給される。
【００２２】
供給される３つのパスについて、各合成ユニットＢ１４〜Ｂ１６においてマルチパス合成が行われて信頼性が向上される。
【００２３】
最終的に合成ユニットＢ１４からは、信頼性の高いチャネル１の復調信号ＣＳ１が出力され、合成ユニットＢ１５からは信頼性の高いチャネル２の復調信号ＣＳ２が出力され、合成ユニットＢ１６からは信頼性の高いチャネルＮの復調信号ＣＳＮが出力される。
【００２４】
【発明が解決しようとする課題】
ところが、前記復調処理回路１１では、各パス復調ユニットＢ１〜Ｂ３のおのおのが、送信側で符号多重された情報チャネル数分のチャネル復調回路（Ｂ４〜Ｂ６など）を装備する必要があるため、回路規模が大きい。
【００２５】
例えば、上述の例では２（Ｎ＝２）であった情報チャネル数を３以上にすると、各パス復調ユニットが装備するチャネル復調回路の数も３以上となる。
【００２６】
これは、復調処理回路１１全体でみると、図４に示した構成を持つチャネル復調回路の総数は、パス数（フィンガ数）＊情報チャネル数だけ必要になることを意味する（ここで、「＊」は乗算を示す）。
【００２７】
また、このような回路規模の増大にともなって、回路構成の複雑化、消費電力アップなどの問題も生じる。
【００２８】
【課題を解決するための手段】
かかる課題を解決するために、本発明の復調装置は以下の構成を備える。すなわち、直交符号で変調されると共に複数チャネルを符号多重した伝搬信号を、異なる伝搬路を介して受信して、伝搬路推定を含む処理を施す伝搬路推定処理手段を複数備え、各伝搬路推定処理手段の出力に、マルチパス合成を施して復調する復調装置において、前記各伝搬路推定処理手段は、前記直交符号と伝搬信号を用いた相関演算を実行し、演算結果として得られる隣接するシンボルを加算する第１の相関器と、前記直交符号と伝搬信号を用いた相関演算を実行し、演算結果として得られる隣接するシンボルの一方から他方を減算する第２の相関器と、を有する情報用相関演算部と、前記伝搬路推定のために、前記情報用相関演算部よりも長い区間について、前記直交符号と伝搬信号を用いた相関演算を実行して伝搬路推定用相関値を得る伝搬路推定用相関演算部と、前記伝搬路推定用相関値の移動平均を取ることで、伝搬路推定を実行して伝搬路推定値を得る伝搬路推定手段と、前記伝搬路推定値を前記第１の相関器と出力に掛け合わせて積を得る第１の乗算手段と、前記伝搬路推定値を前記第２の相関器と出力に掛け合わせて積を得る第２の乗算手段と、を有し、前記複数の伝搬路推定処理手段の前記第１の乗算手段からの出力を合成し、かつ、前記複数の伝搬路推定処理手段の前記第２の乗算手段からの出力を合成することで前記マルチパス合成を実行する合成手段と、前記合成手段の合成結果を得た後、前記複数チャネルを分離する分離手段と、を有する。
【００２９】
【発明の実施の形態】
（Ａ）実施形態
以下、本発明の復調装置を、２つのチャネルを復調する復調処理回路に適用した場合を例に、実施形態について説明する。
【００３０】
本実施形態は、フィンガー数（パス数）分の相関データを先に合成した後に、符号多重したときと同じ符号をもとに相関データを反転／非反転させてチャネル分離を行い、所望のチャネル信号を復調することを特徴とする。
【００３１】
（Ａ−１）実施形態の構成
本実施形態の復調処理回路２０の全体構成を図１に示す。この復調処理回路２０は、上述した復調処理回路１１と同様に、図２の符号多重部１０を搭載した送信機に対向する受信機に装備される復調処理回路である。
【００３２】
なお、本実施形態で使用する信号ＴＳ１は、前記信号ＴＳと同じ信号であるものとする。ただし本実施形態では、前記ｐｉｌｏｔは伝搬路の推定にのみ使用する。
【００３３】
図１において、復調処理回路２０は、信号ＴＳ１のパス１に対応するパス復調ユニットＣ１と、パス２に対応するパス復調ユニットＣ２と、パスＮ（Ｎ＝３）に対応するパス復調ユニットＣ３と、合成・チャネル分離部Ｃ７とを備えている。
【００３４】
このうちパス復調ユニットＣ１は、１つのチャネル復調回路Ｃ４を内蔵している。同様に、パス復調ユニットＣ２は、１つのチャネル復調回路Ｃ５を内蔵し、パス復調ユニットＣ３は、１つのチャネル復調回路Ｃ６を内蔵している。
【００３５】
ここで、チャネル復調回路Ｃ４は図５に示すような内部構成を備えている。このチャネル復調回路Ｃ４は、上述した従来のチャネル復調回路Ｂ４〜Ｂ１２とは機能上、まったく異なる。なお、本実施形態の他のチャネル復調回路Ｃ５、Ｃ６も当該チャネル復調回路Ｃ４と同じ内部構成を備え、同じ機能を装備している。
【００３６】
（Ａ−１−１）チャネル復調回路の内部構成
図５において、チャネル復調回路Ｃ４は、入力端２０１と、相関器２０２Ａ、２０２Ｂ、２０３と、伝搬路推定器２０４と、乗算器２０５、２０６とを備えている。
【００３７】
このうち相関器２０３は、図４に示した前記相関器１０３と同じ相関器であり、伝搬路推定器２０４も前記伝搬路推定器１０４と同じ伝搬路推定器である。
【００３８】
本実施形態の相関器２０２Ａと２０２Ｂはそれぞれが、前記相関器１０２に対応する相関器であり、ともに同じ直交符号と信号ＴＳ１との乗算を実行して相関ピークの高いデータを抽出する点で同じである。
【００３９】
ただし乗算後に行う演算操作が異なり、当該乗算の結果として得られる隣接するシンボルについて、相関器２０２Ｂでは加算するのに対し、相関器２０２Ａでは一方から他方を減算する。
【００４０】
すなわち、送信側でＷａｌｓｈ符号＋−＋−を乗算したチャネル１のｓｕｐｌｅｍｅｎｔａｌに対応する相関器２０２Ａから出力される相関データは、＋−を最小ｓｙｍｂｏｌ単位とし、送信側でＷａｌｓｈ符号＋＋−−を乗算したチャネル２のｆｕｎｄａｍｅｎｔａｌに対応する相関器２０２Ｂから出力される相関データは、＋＋を最小ｓｙｍｂｏｌ単位とする。
【００４１】
前記加算結果としての当該最小ｓｙｍｂｏｌ単位＋＋は、相関器２０２Ｂから乗算器２０５に供給され、前記減算結果としての当該最小ｓｙｍｂｏｌ単位＋−は相関器２０２Ａから乗算器２０６に供給される。
【００４２】
乗算器２０５では、当該加算結果と伝搬路推定値が乗算されて重み付けが行われ、重み付け済みでなおかつチャネル未抽出の信号ＮＰ１が得られ、乗算器２０６では当該減算結果と当該伝搬路推定値が乗算されて重み付けが行われ、重み付け済みでなおかつチャネル未抽出の信号ＮＭ１が得られる。
【００４３】
これらの信号ＮＭ１とＮＰ１は、当該チャネル復調回路Ｃ４から送出されて合成・チャネル分離部２１０に供給される。
【００４４】
また、チャネル復調回路Ｃ５から合成・チャネル分離部２１０に供給される信号のうち、前記信号ＮＭ１に対応する信号をＮＭ２とし、前記信号ＮＰ１に対応する信号をＮＰ２とする。
【００４５】
同様に、チャネル復調回路Ｃ６から合成・チャネル分離部２１０に供給される信号のうち、前記信号ＮＭ１に対応する信号をＮＭ３とし、前記信号ＮＰ１に対応する信号をＮＰ３とする。
【００４６】
前記合成・チャネル分離部２１０は、これらの信号ＮＭ１〜ＮＭ３およびＮＰ１〜ＮＰ３を用いて、マルチパス合成と、チャネル分離を実行する部分である。
【００４７】
この合成・チャネル分離部２１０の内部構成を図６に示す。
【００４８】
（Ａ−１−２）合成・チャネル分離部の内部構成
図６において、合成・チャネル分離部２１０は、合成回路２１１と、反転／非反転回路２１２と、レート加算器２１３とを備えている。
【００４９】
合成回路２１１は、マルチパス合成を実行する部分で、所定の合成法に基づいて、前記信号ＮＭ１〜ＮＭ３のマルチパス合成と、前記信号ＮＰ１〜ＮＰ３のマルチパス合成を行う。
【００５０】
信号ＮＭ１〜ＮＭ３のマルチパス合成の結果として得られる信号ＮＭＳと、信号ＮＰ１〜ＮＰ３のマルチパス合成の結果として得られる信号ＮＰＳとが、この合成回路２１１から反転／非反転回路２１２に供給される。
【００５１】
反転／非反転回路２１２は、これらの信号ＮＭＳとＮＰＳに対して、送信側で符号多重したときと同じＷａｌｓｈ符号に対応したチャネル分離符号ＤＣを用いて、後述する反転／非反転操作を実行することにより、チャネル分離（チャネル抽出）を行い、復調過程信号ｄｐ１、ｄｐ２を出力する部分である。
【００５２】
この復調過程信号ｄｐ１、ｄｐ２を受け取ったレート加算器２１３は、復調過程信号ｄｐ１、ｄｐ２のそれぞれを、チャネルごとのレートに合わせて加算して、図３のＣＳ１、ＣＳ２と同様な復調信号ＣＳ１（チャネル１）とＣＳ２（チャネル２）を生成し、出力する部分である。
【００５３】
以下、上記のような構成を有する本実施形態の動作について説明する。
【００５４】
（Ａ−２）実施形態の動作
符号多重された信号ＴＳ１が各チャネル復調回路Ｃ４〜Ｃ６の入力端子２０１を介して相関器２０２Ａ、２０２Ｂに入力されると、相関器２０２Ａと２０２Ｂは上述した演算操作を含む相関演算を実行する。
【００５５】
その相関演算の結果は、乗算器２０５，２０６において伝搬路推定器２０４から出力される伝搬路推定値と乗算されることにより、信頼度の高い信号（例えばチャネル復調回路Ｃ４の場合なら、信号ＮＰ１、ＮＭ１）とされて各チャネル復調回路Ｃ４〜Ｃ６から出力される。
【００５６】
合成回路２１１では、信号ＮＭ１〜ＮＭ３が合成されて信号ＮＭＳが得られ、信号ＮＭ１〜ＮＭ３が合成されて信号ＮＰＳが得られる。
【００５７】
マルチパス合成によって得られたこれらの信号ＮＭＳとＮＰＳは、チャネル分離の目的で送信側で符号多重したときと同じ符号により、反転／非反転回路２１２において符号の反転／非反転を受け、復調過程信号ｄｐ１、ｄｐ２に変換される。
【００５８】
復調過程信号ｄｐ１、ｄｐ２はチャネル復調信号ＣＳ１、ＣＳ２の直接的な基礎となる信号で、レート加算器２１３において希望チャネルのｓｙｍｂｏｌ分加算されて、所望のチャネル信号ＣＳ１、ＣＳ２に復調される。
【００５９】
次に、図７を参照しながら反転／非反転回路２１２の動作について説明する。
【００６０】
ＩＳ−２０００規格の場合、送信側と受信側の対応関係から、チャネル１のｓｕｐｌｅｍｅｎｔａｌに対応する相関器２０２Ａから出力される相関データは、＋−を最小ｓｙｍｂｏｌ単位とし、チャネル２のｆｕｎｄａｍｅｎｔａｌに対応する相関器２０２Ｂから出力される相関データは、＋＋を最小ｓｙｍｂｏｌ単位とすることはすでに述べた通りである。
【００６１】
したがって、Ｗａｌｓｈ符号に着目すると、相関器２０２Ｂからは相関データ＋＋が出力され、相関器２０２Ａからは相関データ＋−が出力されることになる。
【００６２】
これらの各相関データに対するチャネル分離符号ＤＣは、ｓｕｐｌｅｍｅｎｔａｌチャネルに対しては全区間＋演算となり、ｆｕｎｄａｍｅｎｔａｌチャネルに対してはＷａｌｓｈ符号＋＋−−に従い、＋＋の区間では＋となり、−−の区間では−になる。
【００６３】
そして反転／非反転回路２１２は、ｓｕｐｌｅｍｅｎｔａｌチャネルの場合は、相関器２０２Ａの相関データ＋−をそのまま、チャネル１の復調過程信号ｄｐ１として出力する。
【００６４】
一方、ｆｕｎｄａｍｅｎｔａｌチャネルの場合、当該反転／非反転回路２１２は、相関器２０２Ｂの相関データ＋＋を、ｗａｌｓｈ符号＋＋−−が＋＋の区間は非反転し（チャネル分離符号は＋）て相関データ＋＋（すなわちシンボル＋＋）をそのままチャネル２の復調過程信号ｄｐ２として出力し、Ｗａｌｓｈ符号の−−の区間は、相関データ＋＋を反転してチャネル２の復調過程信号ｄｐ２として出力する。
【００６５】
なお、図７中で、実線の矢印は非反転操作を示し、破線の矢印は反転操作を示す。
【００６６】
最後に、レート加算器２１３は、復調過程信号ｄｐ１を構成するシンボルデータをチャネル１のレートに合わせて加算することで、チャネル１のｓｕｐｌｅｍｅｎｔａｌを復調し、復調信号ＣＳ１として出力する。
【００６７】
同様に、このレート加算器２１３は、復調過程信号ｄｐ２を構成するシンボルデータをチャネル２のレートに合わせて加算することで、チャネル２のｆｕｎｄａｍｅｎｔａｌを復調し、復調信号ＣＳ２として出力する。
【００６８】
（Ａ−３）実施形態の効果
以上のように、本実施形態によれば、従来よりも小さな回路規模で従来と同一の機能を実現することができ、回路規模の縮小、回路構成の簡略化、消費電力低減などの点で従来よりも優れている。
【００６９】
（Ｂ）他の実施形態
なお、上記実施形態ではＷａｌｓｈ符号を例に取ったが、本発明は、Ｗａｌｓｈ符号以外の規則性のある符号を使用することができる。
【００７０】
また、上記実施形態では、符号多重された情報チャネルが２つの場合について説明したが、本発明は、３つ以上の情報チャネルが符号多重された場合にも適用することができる。
【００７１】
さらに、上記実施形態では、パスの数Ｎが、３の場合を例に説明したが、パスの数は、３より少なくてもよく、多くてもよい。
【００７２】
要するに本発明のポイントは、フィンガ数（パス数）分の相関データを先に合成した後に、符号多重したときと同じ符号をもとに相関データを反転／非反転させてチャネル分離を行い、所望のチャネル信号を復調することで、マルチパス合成の後で、チャネル分離を行うことを可能にした点にある。
【００７３】
これによって、本発明は、符号多重されている信号（情報チャネル）を復調するための復調器（チャネル復調回路（例えばＣ４））の数を、復調処理回路全体として、低減することができる。
【００７４】
すなわち本発明は、直交符号で変調されると共に複数チャネルを符号多重した伝搬信号を、異なる伝搬路を介して受信して、伝搬路推定を含む処理を施す伝搬路推定処理手段を複数備え、各伝搬路推定処理手段の出力に、マルチパス合成を施して復調する復調装置について、広く適用することができる。
【００７５】
【発明の効果】
以上に説明したように、本発明の復調装置では、従来に比べて回路規模を縮小し、回路構成を簡略化し、消費電力を低減すること等が可能になる。
【図面の簡単な説明】
【図１】実施形態に係る復調処理回路の全体構成を示す概略図である。
【図２】従来および実施形態に対応する送信機の符号多重部の構成を示す概略図である。
【図３】従来の復調処理回路の全体構成を示す概略図である。
【図４】従来のチャネル復調回路の構成を示す概略図である。
【図５】実施形態のチャネル復調回路の構成を示す概略図である。
【図６】実施形態の合成・チャネル分離部の内部構成を示す概略図である。
【図７】実施形態の動作説明図である。
【符号の説明】
１０…（送信機の）符号多重部、１１，２０…（受信機の）復調処理回路、２０２Ａ、２０２Ｂ、２０３…相関器、２０４…伝搬路推定器、２１０…合成・チャネル分離部、２１１…合成部、２１２…反転／非反転部。
【図１】
0004313917.tif 000002
【図２】
0004313917.tif 000003
【図３】
0004313917.tif 000004
【図４】
0004313917.tif 000005
【図５】
0004313917.tif 000006
【図６】
0004313917.tif 000007
【図７】
0004313917.tif 000008